(57)【要約】      （修正有）【課題】２画面表示させたテレビ受信機を２人で視聴する場合に、２人でそれぞれのリモコンを使用できるようにすること。【解決手段】第１のリモコンコードと、第２のリモコンコードを２画面のそれぞれに対応させて登録するリモコンコード登録部と、登録されているリモコンコードに基づいていずれのリモコンからの指示であるかを判定し、それぞれの表示画面に関連する制御を行う制御部とを有するテレビ受信機。【選択図】図４
2007235198.tif 000002
【特許請求の範囲】
【請求項１】
リモートコントロール装置（以下、「リモコン装置」と称する。）からのリモコン信号を受光するリモコン受光部を備え、表示部に第１の表示画面と第２の表示画面との２画面表示が可能なテレビ受像機であって、
第１のリモコン装置の第１のリモコンコードと、第２のリモコン装置の前記第１のリモコンコードとは異なる第２のリモコンコードと、を、前記２画面のそれぞれに対応させて登録するリモコンコード登録部と、
該リモコンコード登録部に登録されているリモコンコードに基づいて、前記第１のリモコン装置と前記第２のリモコン装置とのいずれのリモコン装置からの指示であるかを判定し、該判定とリモコン装置からの指示とに基づいて、それぞれ、前記第１の表示画面に関連する制御と前記第２の表示画面に関連する制御とを行なう制御部と
を有することを特徴とするテレビ受信機。
【請求項２】
前記制御部は、前記第１のリモコン装置又は前記第２のリモコン装置のうちの少なくともいずれか一方からの２画面表示に関する指示を受けた際に、該２画面表示に関連する制御を行なうことを特徴とする請求項１に記載のテレビ受信機。
【請求項３】
前記制御部は、前記第１のリモコン装置及び前記第２のリモコン装置の両方により選局された番組がある時間だけ同じであった場合に、選局された同じ番組の表示を１画面に変更して表示する制御を行なうことを特徴とする請求項１又は２に記載のテレビ受信機。
【請求項４】
２画面を表示する機能を備え、それぞれの表示を異なるリモコンで制御するための表示制御方法であって、
各画面を操作するために異なるリモコンの信号に対して異なるリモコンコードを割り当てるステップを有し、
受信したリモコン信号のリモコンコードに基づいて、前記２画面を個別に表示制御するステップと
を有することを特徴とする表示制御方法。
【請求項５】
請求項４に記載のステップをコンピュータに実行させるためのプログラム。
【発明の詳細な説明】
【技術分野】
【０００１】
本発明はテレビ受信機に関し、特に、２画面を表示する機能を有するテレビ受信機に関する。
【背景技術】
【０００２】
近年、テレビの大型化が進んでおり、１つの映像を大画面で楽しむという用途の他に、例えば異なる放送を１つの表示画面に表示させる２画面表示を行い、２人でそれぞれ異なった番組を視聴するという用途にも対応できるようになってきている。一般的なテレビ受信機では、２画面表示にしたときに、２つの画面を、左画面、右画面とすると、左右のどちらかの画面の操作を行う場合に、まず操作する画面を選択するためのキーをリモコンで操作する必要があり、選択操作が終わった後に選択した画面に関する希望の操作を行うようになっている。また、テレビ受信機にリモコン受光器を例えば左右に２つ設け、リモコンが左右のどちらを向いているかを判断し左右の画面を操作する技術も提案されている。
【０００３】
【特許文献１】特開平１０-７９９８９号公報
【発明の開示】
【発明が解決しようとする課題】
【０００４】
一般的なテレビ受信機では、希望の画面の操作を行う前に、右画面と左画面のいずれを操作するかに関する選択操作を行い、次に、希望の操作を行う必要があり、操作が２回必要となりわずらわしいという問題がある。また、上記特許文献１に記載の技術では、２人で視聴している場合に、１つのリモコンを手渡すなどのやりとりしてチャンネル変更操作等を行う必要があり、不便を感じるという問題がある。
【０００５】
本発明は、２画面を表示する際におけるリモコン操作を簡単にすることを目的とする。
【課題を解決するための手段】
【０００６】
２画面を表示する機能を備え、それぞれの画面を異なるリモコンで制御することができるようにする。そのために、各画面を操作するリモコンの割り当てを設定する機能を持たせるようにする。左右画面のそれぞれに異なる２つのリモコンコードを登録する設定メニューにより、設定を行なう。テレビ受信機が左画面に対応したリモコンコードを受信したときは、左画面に関する表示処理の指示として受け付け、右画面に対応したリモコンコードを受信したときは、右画面に関する表示処理の指示として受け付ける。受け付けた指示に基づいて、２画面のそれぞれを２つのリモコンで個別に操作する。
【発明の効果】
【０００７】
本発明によれば、２画面のそれぞれを個別に操作できるため、２画面表示させたテレビ受信機を２人で視聴している場合でも、１つのリモコンを２人で共有してやりとりするなどの煩わしさがなくなる。
【発明を実施するための最良の形態】
【０００８】
以下、本発明の一実施の形態によるテレビ受信機について、図面を参照しながら説明を行なう。図１は、本実施の形態によるテレビ受信機の主要部の構成例を示す機能ブロック図である。図１に示すように、本実施の形態によるテレビ受信機Ａは、アンテナ１と、第１のフロントエンド（Ａ）３と、第１のデマルチプレクサ（Ａ）７と、第１の映像・音声デコード部（Ａ）１５と、第２のフロントエンド（Ｂ）５と、第２のデマルチプレクサ（Ｂ）１１と、第２の映像・音声デコード部（Ｂ）１７と、上記第１及び第２に共通の画面合成部２１と、音声切替部２３と、表示部２５と、音声出力部（Ａ）２７及び（Ｂ）３１と、リモコン装置からの信号を受光するリモコン受光部３５と、これらの機能ブロック全体を制御する制御部３３と、を有している。
【０００９】
一般的に、１台のテレビ受信機と１台のリモコン装置とが対応しリモコン装置によるテレビ受信機の制御操作が行なわれる場合には、リモコン装置の各キーにリモコンコードが割り当てられており、一方、テレビ受信機にはリモコンコードとそれに対応する操作（処理）内容とが記憶されている。リモコン装置のある操作キーが押されると、予め決められている赤外線信号が出射し、この赤外線信号をテレビ受信機で受信すると、上記の記憶されたリモコンコードに基づいてそれに対応する操作（処理）が検索でき、その処理を行なうように制御される。
【００１０】
また、２台のリモコン装置が、同じ操作キー配列を有していると仮定すると、対応する同じ操作キーを両方のリモコンで操作すると同じリモコンコードに対応する赤外線信号がリモコン受光部３５において受信されるため、２画面表示のそれぞれを２台のリモコン装置で独立して操作することができない。そこで、本実施の形態においては、複数、例えば２台のリモコン装置はそれぞれ異なるリモコンコードを有するようにして、信号を受けた制御部３３は、いずれのリモコンからの信号による指示かを判別することができるようにする。いずれのリモコンからの指示であるかを判別するために、リモコンコード登録部３３ａが設けられており、受けたリモコンコードと登録されたリモコンコードとを比較していずれのリモコンからの指示であるかを判定する。
【００１１】
上記構成により、本実施の形態によるテレビ受信機Ａにおいては、１つの表示部２５に異なる放送番組を２画面表示することができる。図示しないリモコン装置からの制御信号は、リモコン受光部３５において受光され、制御部３３で制御信号を実際の処理命令に変換することでテレビ受信機Ａの操作を行なうことができる。尚、２画面表示の場合の音声に関しては、例えば、一方の画面に関して音声をダイレクトに出力し、他方の画面に関して音声をヘッドフォンで聞くことも可能である。
【００１２】
以下、本実施の形態によるテレビ受信機の使用方法について図面を参照しながら説明を行なう。図２は、本実施の形態によるテレビ受信機における処理の流れを示すフローチャート図である。図３は、テレビ受信機の２画面表示のそれぞれに対してリモコン設定を行なう様子を示す図である。図４は、２画面表示の場合の視聴画面のリモコン操作の様子を示す図である。上述のように、図４に示すリモコン装置５７とリモコン装置５９とに関して、リモコンコード登録部３３ａ（図１）に、それぞれのリモコン信号を識別できるようにリモコンコードを登録しておくことにより、いずれのリモコン装置からの指示であるかを判別可能にするとともに、リモコンコードを異なるようにしておくことで、混信などの問題を防止することができる。尚、リモコン装置の設定は、表示部において例えばＧＵＩ表示などを行なうことで、ユーザに対して、設定のための操作を促すようにするのが一般的である。
【００１３】
図２のステップＳ１において処理を開始し、ステップＳ２において、リモコン受光部においてリモコン信号が受信されたかどうかを判定し、リモコン信号が受信された場合には（ＹＥＳ）、ステップＳ３に進む。ステップＳ３において、現在２画面で表示されているかを判定し、２画面表示されている場合には（ＹＥＳ）ステップＳ８に、２画面表示されていない場合には（ＮＯ）ステップＳ４に進む。ステップＳ４において、受信信号がリモコン装置１及び２のうちのリモコン装置１の信号かどうかを判定し、リモコン装置１の信号であれば（ＹＥＳ）、ステップＳ５においてリモコン装置１の信号をデコードする。リモコン装置１の信号ではない場合には（ＮＯ）、ステップＳ６に進みリモコン装置２の信号をデコードする。いずれの場合でも、ステップＳ７においてリモコン信号に応じた処理を行ない、ステップＳ２に戻る。
【００１４】
ステップＳ３において、２画面表示であれば（ＹＥＳ）ステップＳ８に進み、図３に示すように左画面に設定されたリモコン装置１であるかどうかを判断する。左画面に設定されたリモコン装置１である場合には（ＹＥＳ）ステップＳ９に進み、リモコン装置１信号をデコードし、ステップＳ１０において電源キーに関連する指示かどうかを判定し、電源キーに関連する指示であれば（ＹＥＳ）、ステップＳ１２に進み右画面で１画面表示を行ない、ステップＳ２に戻る。電源キーに関連する指示でない場合には（ＮＯ）、ステップＳ１１に進み、左画面にリモコン信号に応じた処理を行ない、ステップＳ２に戻る。
【００１５】
ステップＳ８において右画面に設定されたリモコン装置であれば（ＮＯ）、ステップＳ１３に進み、リモコン装置２の信号をデコードする。次いで、ステップＳ１４において電源キーに関連する指示かどうかを判定し、電源キーに関連する指示であれば（ＹＥＳ）、ステップＳ１６に進み左画面で１画面表示を行ない、ステップＳ２に戻る。電源キーに関連する指示でない場合には（ＮＯ）、ステップＳ１５に進み、右画面にリモコン信号に応じた処理を行ない、ステップＳ２に戻る。電源キーが押された場合は、押されたリモコンに対応している画面は消え、他方の画面で１画面となる。
【００１６】
以上の処理により、左画面をリモコン装置（１）５７に設定し、右画面をリモコン装置（２）５９に設定した場合において、２画面表示に関連するリモコン信号を受信した場合に、いずれのリモコン装置の指示かを判断し、テレビ受信機におけるリモコン信号に基づく例えばチャネル選局処理を正確に行なうことができる。
【００１７】
次に、リモコン操作において、左画面に対応して選局されたチャネルと右画面に対応して選局されたチャネルとが一致した場合について説明する。図５は、この場合の処理の流れを示すフローチャート図である。図６は、処理の概要を示す表示画面の様子を示す図である。まず、ステップＳ２１において処理を開始し、ステップＳ２２においてリモコン信号を受信したかどうかを判断する。ステップＳ２２においてＮＯであれば、この判断を繰り返す。ＹＥＳであればステップＳ２３に進み、現在２画面かどうかを判断する。２画面でなければ、ステップＳ２２に戻る。２画面表示中であれば（ＹＥＳ）、ステップＳ２４に進み、一定時間経過したかどうかを判定する。この一定時間とは、予め設定された時間であり、例えば、１０秒程度で良い。ここで、一定時間が経過するまで待ち（ＮＯ）、経過した場合に（ＹＥＳ）ステップＳ２５に進み、左画面と右画面との選択されたチャネルが同じであるかどうかを判定する。チャネルが異なれば（ＮＯ）２画面表示のままとなる（図６の（ａ）参照）。ＹＥＳであれば、ステップＳ２６に進み、同じチャネルが選択されているので１画面で表示する（図６（ｂ）参照）。この場合に、表示画面いっぱいに表示をするか、或いは２画面のうちの１画面分の領域を利用して表示するかを予め設定しておくことも可能である。表示画面いっぱいに表示をすると、大画面で視聴が可能であるという利点があり、１画面分の領域を使用すると、消費電力を低減できる。
【００１８】
さらに、例えば、途中で少なくともいずれか一方のリモコン操作により異なる画面が選択されると、再び２画面表示に切り替わるようにしても良い。尚、１画面表示の場合には、いずれのリモコン装置を操作しても同じように動作するように設定しておくのが好ましい。また、本体側で、２つのリモコン装置のうちいずれか一方の操作のみを受け付けるように予め設定しておくことも可能であり、２画面のうちのいずれをそれぞれのリモコン装置に割り当てるかに関して、視聴中に本体側で切り替えることができるようにしても良い。
【００１９】
尚、本実施の形態においては、２画面表示を例にしたが、３以上の画面を表示することができるテレビ受信機についても同じように、複数のリモコン装置を利用して画面とリモコン装置とを関連付けしておく処理を経ることで、多画面表示の場合のリモコン操作を簡単かつ間違えにくいように行なわせることができる。例えば、３（Ｎ）画面表示を３（Ｎ）台のリモコン装置でそれぞれ操作することができる。また、上記ステップをコンピュータに実行させるためのプログラム、プログラムを記憶した記憶媒体も本発明の範疇に入るものである。
【産業上の利用可能性】
【００２０】
本発明は、２画面表示が可能なテレビ受信機に利用可能である。
【図面の簡単な説明】
【００２１】
【図１】本発明の一実施の形態によるテレビ受信機の主要部の構成例を示す機能ブロック図である。
【図２】本実施の形態によるテレビ受信機における処理の流れを示すフローチャート図である。
【図３】図３は、テレビ受信機の２画面表示のそれぞれに対してリモコン設定を行なう様子を示す図である。
【図４】図４は、２画面表示の場合の視聴画面のリモコン操作の様子を示す図である。
【図５】リモコン操作において、左画面に対応して選局されたチャネルと右画面に対応して選局されたチャネルとが一致した場合の処理の流れを示すフローチャート図である。
【図６】図６は、処理の概要を示す表示画面の様子を示す図である。
【符号の説明】
【００２２】
Ａ…テレビ受信機、１…アンテナ、３…第１のフロントエンド、５…第２のフロントエンド（Ｂ）、７…第１のデマルチプレクサ（Ａ）、１１…第２のデマルチプレクサ（Ｂ）、１５…第１の映像・音声デコード部（Ａ）、１７…第２の映像・音声デコード部（Ｂ）、２１…画面合成部、２３…音声切替部、２５…表示部、２７、３１…音声出力部（Ａ）、（Ｂ）、３３…制御部、３３ａ…リモコンコード登録部、３５…リモコン受光部、５７、５９…リモコン装置。
【図１】
2007235198.tif 000003
【図２】
2007235198.tif 000004
【図３】
2007235198.tif 000005
【図４】
2007235198.tif 000006
【図５】
2007235198.tif 000007
【図６】
2007235198.tif 000008